(57)【要約】【課題】  レンズに視線が正対している画像を極めて簡単な手段により得られようにし、部品点数、組立て工数を減少し、製品の厚みを薄くして、より小型化することができるカメラ付き携帯情報端末を提供するものである。【解決手段】  集光レンズを有するデジタルカメラを内蔵した携帯情報端末において、前記集光レンズの入射光側表面に特殊薄膜層を形成し、この薄膜層により上記集光レンズ上の前記デジタルカメラで撮影する画像の反射像を得ることを特徴とするものである。【選択図】図１
2006146050.tif 000002
【特許請求の範囲】
【請求項１】
集光レンズを有するデジタルカメラを内蔵した携帯情報端末において、前記集光レンズの入射光側表面に特殊薄膜層を形成し、この薄膜層により上記集光レンズ上の前記デジタルカメラで撮影する画像の反射像を得ることを特徴とするカメラ付き携帯情報端末。
【請求項２】
前記特殊薄膜層はハーフミラー膜であることを特徴とする請求項１に記載のカメラ付き携帯情報端末。
【請求項３】
前記特殊薄膜層はEL（エレクトロルミネッセンス）膜であることを特徴とする請求項１に記載のカメラ付き携帯情報端末。
【請求項４】
前記EL（エレクトロルミネッセンス）膜はスイッチ動作による電気信号操作で開閉され、前記EL薄膜層が閉のときに前記デジタルカメラで撮影する画像の反射像を得ることを特徴とする請求項３に記載のカメラ付き携帯情報端末。
【請求項５】
特殊薄膜層を透過した際に減少した透過光量を補償する補償手段を設けたことを特徴とする請求項１に記載のカメラ付き携帯情報端末。
【請求項６】
前記補償手段はレンズへの入射光量に応じて露光時間を調整する露光時間調整器と、必要により補助ライトを発光制御する補助ライト発光制御器と、電気信号の増幅処理により撮影画像に変換する電気信号増幅器とから構成されることを特徴とする請求項５に記載のカメラ付き携帯情報端末。
【請求項７】
前記補償手段はデジタルカメラの撮像素子に形成された画像信号を増幅する電気信号増幅器と、前記増幅器からの増幅信号に応じて露光時間を調整する露光時間調整器と、必要により補助ライトを発光制御する補助ライト発光制御器とから構成されることを特徴とする請求項５に記載のカメラ付き携帯情報端末。
【発明の詳細な説明】
【技術分野】
【０００１】
この発明は、デジタルカメラを内蔵した携帯電話機等の携帯情報端末に関し、特に撮影者自身を撮影することができるカメラ付き携帯情報端末に関するものである。
【背景技術】
【０００２】
最近のカメラ付き携帯電話機の普及は目覚しいものがあるが、撮影者自身を撮影する、所謂、自分撮りの利用機会が増大するにつれて、自分撮りの際の操作性の改善、撮影画像の画質改善、小型化要請等、種々の技術的改良がなされている。
通常のカメラ付き携帯電話機にあっては、カメラレンズは携帯電話のディスプレイ面と反対面に取り付けられ、撮影時に上記ディスプレイをファインダーとして使用するように構成されているが、自分撮りの際には、上記ディスプレイを使用できないため、カメラレンズの近傍に鏡を設けこれをファインダーとして用いているものが多い。
【０００３】
ところが、カメラレンズと鏡の位置がずれているため、鏡を見てアングルを決めた後シャッター操作を行うと、レンズに視線が正対している画像が得られ難いという問題があった。なお、最近のカメラ付き携帯電話機には、上記ディスプレイ面を１８０度回転させるヒンジを設けることによって、自分撮りの際にも上記ディスプレイをファインダーとして使用できるようにしたものがあるが、この場合も上記ファインダーの画像はレンズ画像とは異なるため、レンズに視線が正対している画像が得られ難いという問題は解決されず、また回転ヒンジ等の余分な部品が必要となっていた。
【０００４】
特開２００３−２１５６６４号公報（特許文献１参照）では、鏡をファインダーとして用いる場合であっても、レンズ位置に視線が向くように撮影することができるカメラ付き携帯電話機が提案されている。図４はこのような携帯電話機の外観図であり、レンズ１００の表面にレンズカバーとして機能する鏡（ハーフミラー）２００を設け、この鏡２００をガイド３００によりレンズ１００の表面上に移動したり、レンズ表面からずらしたりしている。図４中、（ａ）はカメラで撮影していない状態を示し、（ｂ）はカメラで撮影している状態を示している。
【０００５】
従って、自分撮りを行うときは、鏡２００がレンズ１００と重なった状態となるため、この状態でアングルを決めることができ、また撮影時には例えばシャッターと連動して鏡２００をレンズ１００から外れた位置に移動させることにより、レンズ１００に視線を固定した状態で鏡２００に遮られることなく撮影することができる。
ところが、上記特許文献１のもののカメラ付き携帯電話機においては、上記のようにレンズ１の表面にレンズカバーとして機能する鏡（ハーフミラー）２００やこの鏡を移動させるガイド３００等の移動機構を設ける必要があり、部品点数の増加と組立て工数の増加の原因となり、またこれらの部品によって製品の厚みが増して大型化するという問題があった。
【０００６】
【特許文献１】特開２００３−２１５６６４号公報
【発明の開示】
【発明が解決しようとする課題】
【０００７】
この発明は、上記のような問題点を解消するためになされたもので、レンズに視線が正対している画像を極めて簡単な手段により得られるようにし、部品点数、組立て工数を減少し、製品の厚みを薄くして、より小型化することができるカメラ付き携帯情報端末を提供するものである。
また、上記のような従来の構造によれば、鏡にはハーフミラーあるいは液晶シャッターを使用しているため、ハーフミラーあるいは液晶シャッターを透過し内部の撮像素子に入射する透過光量が減少することとなり、撮影画像が暗くなるという問題があった。
この発明は、特殊薄膜層を透過した際に減少した透過光量を補償し、カメラの撮影画像を良好に保つことができるカメラ付き携帯情報端末を提供するものである。
【課題を解決するための手段】
【０００８】
この発明は、集光レンズを有するデジタルカメラを内蔵した携帯情報端末において、前記集光レンズの入射光側表面に特殊薄膜層を形成し、この薄膜層により上記集光レンズ上の前記デジタルカメラで撮影する画像の反射像を得るようにしたものである。
また、この発明に係るカメラ付き携帯情報端末は、上記特殊薄膜層を透過した際に減少した透過光量を補償する補償手段を設けたものである。
【発明の効果】
【０００９】
この発明に係るカメラ付き携帯情報端末は、集光レンズの入射光側表面に特殊薄膜層を形成するという極めて簡単な構成により、自分撮りを行うときであっても、レンズに視線が正対している好ましい画像を得ることができる。しかも、レンズの表面にレンズカバーとして機能する鏡（ハーフミラー）やこの鏡を移動させるガイド等の移動機構を設ける必要がなくなるため、部品点数ならびに組立て工数の減少を図ることができ、同時に製品の小型化を実現できるものである。
また、この発明に係るカメラ付き携帯情報端末は、特殊薄膜層を透過し内部の撮像素子に入射する透過光量の減少を補償する手段を設けたので、撮影画像の劣化を防ぐことができ、高品質撮影を確保することができる効果を有する。
【発明を実施するための最良の形態】
【００１０】
実施の形態１．
この発明の実施の形態１に係るカメラ付き携帯情報端末について図面を参照しながら説明する。図１は、カメラ付き携帯情報端末の側面部分の一部断面図であり、撮影者自身を撮影する場合を示している。図１において、携帯電話機本体１にはデジタルカメラ２と補助ライト６とを内蔵したものが示されている。デジタルカメラ２は集光レンズ３及び撮像素子４を少なくとも有し、集光レンズ３により取り込まれた被写体１０の画像を撮像素子４上に撮影する。上記集光レンズ３の入射光側曲率は、撮影者自身を撮影する際の確認画像を得るためのミラーとして必要な曲率を持っている。
【００１１】
集光レンズ３の入射光側表面にはハーフミラー特殊薄膜層５が形成されている。このハーフミラー特殊薄膜層５には、例えばガラスの表面に半透明の水銀膜を貼り付けた一般的にマジックミラーとして使用されているもの、あるいは樹脂材を利用するものとしてはアクリル（ＰＭＭＡ）やポリカーボネート樹脂（ＰＣ）にアルミを蒸着したもの等が使用される。このハーフミラー特殊薄膜層５は上記のものに限られず、一般にハーフミラーとして機能する周知のものが使用できる。
【００１２】
また、携帯電話機本体１には更に、撮影する画像の明度の減衰を補償する手段として、レンズへの入射光量に応じて露光時間を調整する露光時間調整器１１と、必要により補助ライト６を発光制御する補助ライト発光制御器１２と、電気信号の増幅処理により撮影画像９に変換する電気信号増幅器１３とを有している。集光レンズ３の入射光側表面には前述したようにハーフミラー特殊薄膜層５が形成されており、これにより入射光の約４０〜５０％程度を反射させるよう設定されている。なお、前記集光レンズ３の入射光側曲率は約５０〜６０ｃｍの距離で約５０〜６０ｃｍ角の範囲を写すことができる曲率に設定され、該集光レンズ３が撮影者自身を撮影する際の確認画像を得るためのミラーとして機能する。
【００１３】
携帯電話機本体１には前記集光レンズ３を通してカメラ内に取り込まれる光量を測定する露出計等の手段（図示せず）が存在し、これにより、撮影に必要な光量に達するように露光時間調整器１１により露光時間の調整を行う。上記露光時間が長くなり、概略６０ｍｓｅｃ以上になった場合には補助ライト発光制御器１２により補助ライト６を点灯させ、光量を補充する。露光時間の調整後、デジタルカメラ２の撮像素子４に形成された画像信号は電気信号増幅器１３により電気的に増幅され、撮影画像９に変換処理される。
【００１４】
以上のように、この発明の実施の形態１によれば、上記のように集光レンズの入射光側表面にハーフミラー特殊薄膜層５を施すことにより、集光レンズとハーフミラー特殊薄膜層とが常に同一位置に配置されることとなり、レンズに視線が正対している好ましい画像を極めて簡単な手段により得られるものである。また上記実施の形態１によれば、レンズの表面にレンズカバーとして機能する鏡（ハーフミラー）やこの鏡を移動させるガイド等の移動機構を設ける必要がなく、部品点数や組立て工数の削減を図ることができ、材料コストおよび製造コスト削減が可能となる。また、前記レンズカバー等の別ミラー部品を必要としないため、そのための寸法分だけデジタルカメラ付き携帯電話機の薄型化を実現できる。
【００１５】
実施の形態２．
図２は、実施の形態２に係るカメラ付き携帯情報端末の側面部分の一部断面図を示しており、図１と同じく撮影者自身を撮影する場合の概念構成図である。図２において、携帯電話機本体１にはデジタルカメラ２と補助ライト６とを内蔵し、デジタルカメラ２は集光レンズ３により取り込まれた被写体１０の画像が撮像素子４上に撮影される。上記集光レンズ３の入射光側表面にはハーフミラー特殊薄膜層５が形成されており、入射光の約４０〜５０％程度を反射させるよう設定されており、また、前記集光レンズ３の入射光側曲率は約５０〜６０ｃｍの距離で約５０〜６０ｃｍ角の範囲を写すことができる曲率に設定され、撮影者自身を撮影する際の確認画像を得るためのミラーとして機能することも図１と同一である。
【００１６】
図１と異なる点は、デジタルカメラ２の撮像素子４に形成された画像信号は、まず電気信号増幅器１３により増幅され、その上で露光時間調整器１１により露光時間の調整を行う。上記露光時間が長くなり、概略６０ｍｓｅｃ以上になった場合には補助ライト発光制御器１２により補助ライト６を点灯させ、光量を補充する。露光時間の調整後、デジタルカメラ２の撮像素子４に形成された画像信号は電気信号増幅器１３により電気的に増幅され、撮影画像９に変換処理される。以上により実施の形態1と同様の効果を奏する。
【００１７】
実施の形態３．
図３は、実施の形態３に係るカメラ付き携帯情報端末の側面部分の一部断面図を示しており、集光レンズ３の外側表面にＥＬ（エレクトロルミネッセンス）薄膜層7を施している点以外は図１と全く同一である。ＥＬ薄膜層７は電極間に電圧を印加したり、印加しないように切り替えることにより、透過膜になったり反射膜になったりする性質を持つものである。図のようにＥＬ薄膜層７はスイッチ８の動作により電気的に開閉されることになる。従って、ＥＬ薄膜層７が閉のとき、集光レンズ３への入射光は反射され、前記集光レンズ３の入射光面が撮影者の撮影画像状況を確認するためのミラーの役割をする。
【００１８】
また、ＥＬ薄膜層７が開のとき、集光レンズ３への入射光は透過され、集光レンズ３によりデジタルカメラ２の撮像素子４に画像を形成し、画像信号はその大きさに応じて露光時間調整器１１により露光時間の調整を行い、露光時間が概略６０ｍｓｅｃ以上の場合には補助ライト発光制御器１２により補助ライト６を点灯させ、光量を制御する。露光時間調整後、画像信号は電気信号増幅器１３により電気的に増幅され、撮影画像９に変換処理される。以上により実施の形態１と同様の効果を奏する。
【図面の簡単な説明】
【００１９】
【図１】図１は、実施の形態１によるカメラ付き携帯情報端末の側面部分の一部断面図である。
【図２】図２は、実施の形態２によるカメラ付き携帯情報端末の側面部分の一部断面図である。
【図３】図３は、実施の形態３によるカメラ付き携帯情報端末の側面部分の一部断面図である。
【符号の説明】
【００２０】
１  携帯電話機本体、  ２  デジタルカメラ、３  集光レンズ、
４  撮像素子、５  ハーフミラー特殊薄膜層、  ６  補助ライト、
７  ＥＬ薄膜層  ８  スイッチ、９  撮影画像、１０  被写体、
１１  露光時間調整器、  １２  補助ライト発光制御器、
１３  電気信号増幅器。
【図１】
2006146050.tif 000003
【図２】
2006146050.tif 000004
【図３】
2006146050.tif 000005